(57)【特許請求の範囲】
【請求項１】
本体(４)と、
上記本体(４)を取り囲むように配置されたフォロアプレート(６)と、
上記本体(４)と上記フォロアプレート(６)とを連結し、上記本体(４)と上記フォロアプレート(６)との間を塞ぐ柔軟性板材(５)と、
上記フォロアプレート(６)の外周縁の全周にわたって設けられたシール部材(７)とを備え、
上記フォロアプレート(６)が可撓性部材(８)で上記本体(４)に吊り下げられ、
上記可撓性部材(８)は、一方の端部が上記本体(４)に接続され、かつ、他方の端部が上記フォロアプレート(６)の外周縁部に接続されていることを特徴とするフォロア装置。
【請求項２】
潤滑剤が充填されるタンク(１)と、
上記タンク(１)内に配置された鉛直方向のサクションパイプ(２)と、
上記サクションパイプ(２)に昇降自在に案内される請求項１に記載のフォロア装置(３)とを備えたことを特徴とする潤滑用ポンプ。
【請求項３】
請求項２に記載の潤滑用ポンプにおいて、
上記本体(４)が上記タンク(１)または上記サクションパイプ(２)の上端(１ａ)に吊り下げられていることを特徴とする潤滑用ポンプ。
【発明の詳細な説明】
【０００１】
【発明の属する技術分野】
本発明は、フォロア装置およびそれを備えた潤滑用ポンプに関する。
【０００２】
【従来の技術】
潤滑用ポンプは、図３に示すように、グリースが充填されるタンク１０１と、タンク１０１内に配置された鉛直方向のサクションパイプ１０２と、そのサクションパイプ１０２に昇降自在に案内されるフォロア装置１０３とを備えている。
【０００３】
従来、フォロア装置１０３としては、互いに一体に取り付けられた本体１０４とフォロアプレート１０６とを有するものがある。また、上記フォロアプレート１０６の外周縁には、タンク１０１の内壁に摺接するシール部材１０７を設けている。
【０００４】
上記構成の潤滑用ポンプによれば、サクションパイプ１０２の下端の吸込口１１０からグリースを吸い込んでいくと、グリース量の減少に伴ってグリースの表面の位置が下がると共に、グリース表面の位置が不均一になる。このとき、上記フォロア装置１０３はサクションパイプ１０２に案内されて下降して、フォロアプレート１０６でグリースの表面を均しつつ、グリースをサクションパイプ１０２の吸込口１１０に追い込んでいる。
【０００５】
【発明が解決しようとする課題】
ところで、上記フォロア装置１０３において、図４に示すように、本体１０４とフォロアプレート１０６とが一体に取り付けられているため、フォロアプレート１０６およびシール部材１０７は傾き,偏心方向Ｒ２,Ｃ２の自由度が小さい状態で下降する。その結果、上記タンク１０１の内壁にひずみ等の凸部があると、そこでシール部材１０７が引っ掛かってしまい、本体１０４,フォロアプレート１０６およびシール部材１０７が下降できない。したがって、上記サクションパイプ１０２の吸込口１１０(図３に示す)にグリースを追い込むことできず、タンク１０１内にグリースが大量に残ってしまうという問題がある。
【０００６】
そこで、本発明の目的は、サクションパイプの吸込口にグリースを確実に追い込んで、大量のグリースがタンク内に残存するのを防止することができるフォロア装置およびそれを備えた潤滑用ポンプを提供することにある。
【０００７】
【課題を解決するための手段】
上記目的を達成するため、請求項１の発明のフォロア装置は、本体と、上記本体を取り囲むように配置されたフォロアプレートと、上記本体と上記フォロアプレートとを連結し、上記本体と上記フォロアプレートとの間を塞ぐ柔軟性板材と、上記フォロアプレートの外周縁の全周にわたって設けられたシール部材とを備え、上記フォロアプレートが可撓性部材で上記本体に吊り下げられ、上記可撓性部材は、一方の端部が上記本体に接続され、かつ、他方の端部が上記フォロアプレートの外周縁部に接続されていることを特徴としている。
【０００８】
上記請求項１の発明のフォロア装置によれば、上記本体とフォロアプレートとが柔軟性板材で連結されていることによって、フォロアプレートおよびシール部材の傾き,偏心方向の自由度を向上させることができる。
【０００９】
また、上記請求項１の発明のフォロア装置を潤滑用ポンプに備え、潤滑剤充填用のタンクの内壁にシール部材を摺接させた状態でフォロア装置を昇降させた場合、フォロアプレートおよびシール部材の傾き,偏心方向の自由度が高いので、シール部材がタンクの内壁の凸部に引っ掛からない。したがって、大量の潤滑剤がタンク内に残存するのを防ぐことができる。
【００１０】
【００１１】
また、上記請求項１の発明のフォロア装置によれば、上記フォロアプレートが可撓性部材で吊り下げられていることによって、フォロアプレートと本体とをつなぐ柔軟性板材に過剰な負荷がかかるのを防止できると共に、フォロアプレートおよびシール部材の傾き,偏心方向の自由度を調節かつ制限することができる。
【００１２】
【００１３】
また、上記フォロアプレートが可撓性部材で本体に吊り下げられているので、柔軟性板材にかかる過負荷の防止を確実に実現できると共に、フォロアプレートおよびシール部材の傾き,偏心方向の自由度の調節かつ制限を確実に実現することができる。
【００１４】
また、請求項２の発明の潤滑用ポンプは、潤滑剤が充填されるタンクと、上記タンク内に配置された鉛直方向のサクションパイプと、上記サクションパイプに昇降自在に案内される請求項１のフォロア装置とを備えたことを特徴としている。
【００１５】
上記請求項２の発明の潤滑用ポンプによれば、上記タンク内の潤滑剤をサクションパイプの下端から吸い込む場合、フォロア措置は、サクションパイプの案内で下降して、潤滑剤の表面を均しつつ、サクションパイプの下端に潤滑剤を追い込む。このとき、上記フォロアプレートおよびシール部材の傾き,偏心方向の自由度が大きい状態でフォロア装置が下降することにより、タンクの内壁にひずみ等の凸部があっても、そこでシール部材が引っ掛からず、シール部材が凸部を容易に乗り越えて、サクションパイプの下端に潤滑剤を確実に追い込む。このように、上記フォロア装置を備えていることによって、サクションパイプの下端に潤滑剤を確実に追い込み、その下端から潤滑剤を吸い込んで、大量の潤滑剤がタンク内に残存するのを防ぐことができる。
【００１６】
また、請求項３の発明の潤滑用ポンプは、請求項４の潤滑用ポンプにおいて、上記本体が上記タンクまたは上記サクションパイプの上端に吊り下げられていることを特徴としている。
【００１７】
上記請求項３の発明の潤滑用ポンプによれば、上記本体がタンクまたはサクションパイプの上端に吊り下げられているので、例えばメンテナンス時にフォロア装置を容易に引き上げることができる。
【００１８】
【発明の実施の形態】
以下、本発明のフォロア装置およびそれを備えた潤滑用ポンプを図示の実施の形態により詳細に説明する。
【００１９】
図１は本発明の実施の一形態のフォロア装置およびそれを備えた潤滑用ポンプの構成図である。この潤滑用ポンプは、図１に示すように、潤滑剤としてのグリースが充填されるタンク１と、このタンク１内に配置された鉛直方向のサクションパイプ２と、サクションパイプ２に昇降自在に案内されるフォロア装置３とを備えている。上記フォロア装置３は、タンク１の上端としての蓋１ａにボールチェーン９,９で吊り下げられている。上記ボールチェーン９,９の一端が蓋１ａに接続している一方、ボールチェーン９,９の他端がフォロア装置３の本体４に接続している。
【００２０】
上記フォロア装置３は、サクションパイプ２に昇降自在に外嵌された本体４と、本体４を取り囲むように配置された環状のフォロアプレート６と、本体４とフォロアプレート６とを連結し、本体４とフォロアプレート６との間を塞ぐ柔軟性板材５と、フォロアプレート６の外周縁の全周にわたって設けられ、タンク１の内壁に摺接するシール部材７とを有している。また、上記フォロアプレート６を可撓性部材としてのボールチェーン８,８で本体４に吊り下げられている。
【００２１】
上記構成のフォロア装置３は、図２に示すように、上記本体４とフォロアプレート６とが柔軟性板材５で連結されていることによって、フォロアプレート６およびシール部材７の傾き,偏心方向Ｒ１,Ｃ１の自由度を向上させることができる。
【００２２】
また、上記フォロア装置３は、フォロアプレート６がボールチェーン８,８(図１に示す)で本体４に吊り下げられているので、フォロアプレート６と本体４とをつなぐ柔軟性板材５に過剰な負荷がかかるのを防止できると共に、フォロアプレート６およびシール部材７の傾き,偏心方向Ｒ１,Ｃ１の自由度を調節かつ制限することができる。
【００２３】
また、上記構成の潤滑用ポンプによれば、フォロア措置３が、サクションパイプ２の案内で下降して、グリースの表面を均しつつ、サクションパイプ２の下端の吸込口１０(図１に示す)に潤滑剤を追い込む。このとき、上記フォロアプレート６およびシール部材７の傾き,偏心方向の自由度が大きい状態でフォロア装置３が下降することにより、タンク１の内壁にひずみ等の凸部があっても、そこでシール部材７が引っ掛からず、シール部材７が凸部を容易に乗り越えて、サクションパイプ２の吸込口１０にグリースを確実に追い込む。このように、上記フォロア装置３を備えていることによって、サクションパイプ２の吸込口１０にグリースを確実に追い込み、その吸込口１０からグリースを吸い込んで、大量のグリースがタンク１内に残存するのを防ぐことができる。
【００２４】
また、上記本体４がタンク１の蓋１ａに吊り下げられているので、例えばメンテナンス時にフォロア装置３を容易に引き上げることができる。
【００２５】
上記実施の形態では、本体４とフォロアプレート６とを柔軟性板材５で連結していたが、伸縮自在な蛇腹構造を有する部材を用いてもよい。また、上記柔軟性板材６,シール部材７として例えばニトリルゴム等を用いてもよい。
【００２６】
また、上記実施の形態では、本体４をタンク１の蓋１ａに吊り下げていたが、サクションパイプの上端に吊り下げてもよい。
【００２７】
また、上記フォロアプレートを複数の板状部材で構成してもよい。この場合、上記各板状部材を例えば柔軟性板材またはシール部材等で連結すればよい。
【００２８】
【発明の効果】
以上より明らかなように、請求項１の発明のフォロア装置は、本体とフォロアプレートとが柔軟性板材で連結されているので、フォロアプレートおよびシール部材の傾き,偏心方向の自由度を向上させることができる。
【００２９】
また、請求項１の発明のフォロア装置は、上記フォロアプレートが可撓性部材で吊り下げられているので、柔軟性板材に過剰な負荷がかかるのを防止できると共に、フォロアプレートおよびシール部材の傾き,偏心方向の自由度を調節かつ制限することができる。
【００３０】
また、上記フォロアプレートが本体に吊り下げられているので、柔軟性板材にかかる過負荷の防止を確実に実現でき、かつ、フォロアプレートおよびシール部材の傾き,偏心方向の自由度の調節かつ制限を確実に実現できる。
【００３１】
請求項２の発明の潤滑用ポンプによれば、上記フォロア装置を備えているので、サクションパイプの下端に潤滑剤を確実に追い込み、その下端から潤滑剤を吸い込んで、大量の潤滑剤がタンク内に残存するのを防ぐことができる。
【００３２】
請求項３の発明の潤滑用ポンプは、上記本体がタンクまたはサクションパイプの上端に吊り下げられているので、例えばメンテナンス時にフォロア装置を容易に引き上げることができる。
【図面の簡単な説明】
【図１】  図１は本発明の実施の一形態のフォロア装置およびそれを備えた潤滑用ポンプの構成図である。
【図２】  図２は上記潤滑用ポンプのフォロア装置の概念図である。
【図３】  図３は従来のフォロア装置およびそれを備えた潤滑用ポンプの構成図である。
【図４】  図４は従来の潤滑用ポンプのフォロア装置の概念図である。
【符号の説明】
１     タンク
１ａ   蓋
２     サクションパイプ
３     フォロア装置
４     本体
５     柔軟性板材
６     フォロアプレート
７     シール部材
８,９   ボールチェーン
１０    吸込口
【図１】
0003859928.tif 000002
【図２】
0003859928.tif 000003
【図３】
0003859928.tif 000004
【図４】
0003859928.tif 000005